【事件の表示】
　特願２０１５−１０４７５８号「遊技機」拒絶査定不服審判事件〔平成２８年１２月２２日出願公開、特開２０１６−２１４６７４号〕について、次のとおり審決する。
【結　論】
　本件審判の請求は、成り立たない。
【理　由】
第１　手続の経緯 
　本願は、平成２７年５月２２日の出願であって、平成２９年４月１４日付けで拒絶の理由が通知され、同年６月２０日に意見書及び手続補正書が提出されたところ、同年８月７日付けで拒絶査定（以下「原査定」という。）がなされ、それに対して、同年１１月１５日に拒絶査定不服審判の請求がなされると同時に手続補正（以下「本件補正」という。）がなされたものである。
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２９年６月２０日にされた手続補正の特許請求の範囲の請求項１の記載と本件補正後の特許請求の範囲の請求項１の記載は、それぞれ以下のとおりである（下線部は補正箇所を示す。また、Ａ〜Ｈについては発明を分説するため当審で付与した。）。 
（本件補正前） 
「【請求項１】 
　変動表示を行ない、遊技者にとって有利な有利状態に制御可能な遊技機であって、
　未だ開始されていない変動表示に関する情報を保留記憶として記憶する保留記憶手段と、
　前記保留記憶手段に記憶された保留記憶に対応する保留表示を表示する保留表示手段と、
　保留記憶に対応する変動表示が行なわれているときに、変動対応表示を表示する変動対応表示手段と、
　一の保留記憶に対応する保留表示が表示されているときから当該一の保留記憶に対応する変動表示が行なわれているときに跨る期間を含む特定期間において、特定画像を継続して表示可能な特定画像表示手段とを備え、
　前記特定画像表示手段は、前記特定期間のうちのいずれかのタイミングで前記特定画像の態様を変化させることが可能であり、
　前記特定画像の態様が変化したときに、保留表示の態様を変化させること、または、変動対応表示の態様を変化させることが可能であり、
　前記特定画像の種類が第１の種類のときと第２の種類のときとで、変動対応表示の態様を変化させる割合が異なることを特徴とする、遊技機。」 
（本件補正後）  
「【請求項１】 
Ａ　変動表示を行ない、遊技者にとって有利な有利状態に制御可能な遊技機であって、
Ｂ　未だ開始されていない変動表示に関する情報を保留記憶として記憶する保留記憶手段と、
Ｃ　前記保留記憶手段に記憶された保留記憶に対応する保留表示を表示する保留表示手段と、
Ｄ　保留記憶に対応する変動表示が行なわれているときに、変動対応表示を表示する変動対応表示手段と、
Ｅ　一の保留記憶に対応する保留表示が表示されているときから当該一の保留記憶に対応する変動表示が行なわれているときに跨る期間を含む特定期間において、特定画像を継続して表示可能な特定画像表示手段とを備え、
Ｆ　前記特定画像表示手段は、前記特定期間のうちのいずれかのタイミングで前記特定画像の態様を変化させることが可能であり、
Ｇ　
前記一の保留記憶に対応する変動表示が行われる前に、前記特定画像の態様を変化させるとともに前記一の保留記憶に対応する保留表示の態様を変化させる第１パターンの演出と、前記一の保留記憶に対応する変動表示が行われているときに、前記特定画像の態様を変化させるとともに当該一の保留記憶に対応する変動対応表示の態様を変化させる第２パターンの演出とを選択的に行なうことが可能であり、
Ｈ　前記特定画像の種類が第１の種類のときと第２の種類のときとで、
前記第２パターンの演出が行われる
　　ことを特徴とする、遊技機。」 
２　補正の適否　　 
　本件補正は、補正前の請求項１に記載された発明特定事項である「前記特定画像の態様が変化したときに、保留表示の態様を変化させること」について、「Ｇ　前記一の保留記憶に対応する変動表示が行われる前」に行われる「前記一の保留記憶に対応する」「第１パターンの演出」であることを限定するとともに、「前記特定画像の態様が変化したときに」「変動対応表示の態様を変化させること」に関して、Ｇの「前記一の保留記憶に対応する変動表示が行われているときに」行われる「当該一の保留記憶に対応する」「第２パターンの演出」であることを限定して、それらを「選択的に行なうことが可能であ」ると限定したものである。
　なお、補正前の請求項１に記載された発明特定事項である「前記特定画像の種類が第１の種類のときと第２の種類のときとで」「割合が異なる」対象について、「変動対応表示の態様を変化させる」ことから、Ｈの「前記第２パターンの演出が行われる」ことへ変更する補正は、上記Ｇに係る補正、すなわち、「変動対応表示の態様を変化させること」に関して、Ｇの「当該一の保留記憶に対応する」「第２パターンの演出」と限定する補正との整合を採る補正に過ぎず、実質的に技術的範囲を変更するものではない。
　そして、補正前の請求項１に記載された発明と補正後の請求項１に記載された発明とは、産業上の利用分野及び解決しようとする課題が同一である。
　そうすると、本件補正は、特許法第１７条の２第５項第２号に規定する「特許請求の範囲の減縮」を目的とするものに該当する。
　また、本件補正は、明細書の段落【０００７】の記載及び図１５に基づいており、新規事項を追加するものではない。
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１（本件補正後）に記載したとおりのものである。
（２）引用文献に記載された事項 
ア　原査定の拒絶の理由で引用された本願の出願前に頒布された刊行物である特開２０１４−７９５２３号公報（以下「引用文献１」という。）には、図面と共に次の事項が記載されている（下線は当審で付した。）。 
「【００２１】
　以下、図面を参照しつつ、本発明の一実施形態を詳細に説明する。図１は、本実施の形態におけるパチンコ遊技機の正面図であり、主要部材の配置レイアウトを示す。
パチンコ遊技機
１
「【００２７】
　
画像表示装置５の画面上
始動入賞記憶表示エリア５Ｈ
保留表示図柄
特図ゲームの実行が開始されるときに、可変表示対象保留記憶エリア５Ｆにシフトされる
「【００６４】
　上記のような構成によって、
演出制御用ＣＰＵ１２０は
保留表示予告
を実行する
「【００６９】
　こうした可変表示結果や変動パターンの決定に基づいて
特図ゲーム
特別図柄表示装置４Ａによる
特図を用いた特図ゲーム
特別図柄表示装置４Ｂによる
特図を用いた特図ゲーム
【００７０】
　
特別図柄の可変表示結果として予め定められた大当り図柄が導出表示されたときには、可変表示結果
が「大当り」
となり、遊技者にとって有利な特定遊技状態としての大当り遊技状態に制御される
「【０１０９】
　図６（Ａ）に示す第１
特図保留記憶部
未だ開始されていない特図ゲーム
の保留データを記憶する
特図表示結果決定用の乱数値ＭＲ１や大当り種別決定用の乱数値ＭＲ２、変動パターン決定用の乱数値ＭＲ３を示す数値データなどを保留データとして
記憶する
特図保留記憶部に保留データが記憶されると、この保留データに関連付けられた保留番号に対応する表示位置に保留表示図柄が表示される
始動入賞記憶表示エリア５Ｈ
に保留表示図柄を表示する
始動入賞記憶表示エリア５Ｈ
に保留表示図柄を表示する
【０１１０】
　図６（Ｂ）に示す第２
特図保留記憶部
未だ開始されていない特図ゲーム
の保留データを記憶する
特図表示結果決定用の乱数値ＭＲ１や大当り種別決定用の乱数値ＭＲ２、変動パターン決定用の乱数値ＭＲ３を示す数値データなどを保留データとして
記憶する
特図保留記憶部に保留データが記憶されると、この保留データに関連付けられた保留番号に対応する表示位置に保留表示図柄が表示される
始動入賞記憶表示エリア５Ｈ
に保留表示図柄を表示する
始動入賞記憶表示エリア５Ｈ
に保留表示図柄を表示する
「【０２３４】
　この実施の形態では、図２７（Ｂ）に示すように、「保留変化態様」、「保留不変化態様＋保留変化態様」、「保留不変化態様」といった３種類の
保留表示予告
保留変化態様
１変動目（１回目の可変表示）にキャラクタ（５ＣＨ）を表示して
２変動目（２回目の可変表示）にて当該キャラクタ（５ＣＨ）が保留情報の表示態様を変更する
といった態様のように、複数の可変表示に亘って行われる
　上記記載事項を総合すれば、引用文献１には以下の発明（以下、「引用発明１」という。）が記載されているものと認められる（ａ〜ｅについては本願補正発明のＡ〜Ｅに対応させて付与した。）。
「ａ　特別図柄表示装置４Ａ、４Ｂによる特図を用いた特図ゲームを行い、特別図柄の可変表示結果として予め定められた大当り図柄が導出表示されたときには、可変表示結果が「大当り」となり、遊技者にとって有利な特定遊技状態としての大当り遊技状態に制御されるパチンコ遊技機１であって（【００２１】、【００６９】、【００７０】）、
ｂ　未だ開始されていない特図ゲームの特図表示結果決定用の乱数値ＭＲ１や大当り種別決定用の乱数値ＭＲ２、変動パターン決定用の乱数値ＭＲ３を示す数値データなどを保留データとして記憶する特図保留記憶部と（【０１０９】、【０１１０】）、
ｃ　前記特図保留記憶部に保留データが記憶されると、この保留データに関連付けられた保留番号に対応する表示位置に保留表示図柄を表示する、画像表示装置５の画面上の始動入賞記憶表示エリア５Ｈと（【００２７】、【０１０９】、【０１１０】）、
ｄ　特図ゲームの実行が開始されるときに、保留表示図柄をシフトする、画像表示装置５の画面上の可変表示対象保留記憶エリア５Ｆと（【００２７】）、
ｅ　保留変化態様が、１変動目（１回目の可変表示）にキャラクタ（５ＣＨ）を表示して、２変動目（２回目の可変表示）にて当該キャラクタ（５ＣＨ）が前記保留表示図柄の態様を変更するといった態様のように、複数の可変表示に亘って行われる保留表示予告を実行する演出制御用ＣＰＵ１２０と（【００６４】【０２３４】）
　　を備えた、パチンコ遊技機１。」
イ　本願の出願前に頒布された刊行物である特開２０１５−６１５８１号公報（以下「引用文献２」という。）には、図面と共に次の事項が記載されている（下線は当審で付した。）。 
「【００１５】
　以下、本発明の実施の形態を、図面を参照して説明する。まず、遊技機の一例であるパチンコ遊技機１の全体の構成について説明する。図１は
パチンコ遊技機１
「【０３５０】
　すると、始動入賞にもとづいて、合算保留記憶表示部１８ｃに３つ目の保留表示（予告対象）が通常態様（本例では「○」）で表示される（図４４（Ｂ））。そして、変動表示が停止して、はずれ図柄の導出表示が行われると（図４４（Ｃ））、アクティブ保留表示および保留表示がシフトされるとともに、新たな変動表示が開始される。ここで、特殊態様に変化させる変化タイミングであるので、
キャラクタ
を表示して
予告対象の保留表示をキャラクタ
が叩く演出を行い、演出の結果として保留表示の表示態様を
変化させる
「【０３７０】
　なお、ここでは、第１演出態様の作用演出（例えば、
キャラクタ
が表示され
アクティブ保留表示を叩く
「【０３７２】
　図５２（Ｂ）に示す作用演出態様決定テーブルにおいて特徴的なことは、作用演出態様によって、
演出の結果としてアクティブ保留表示の表示態様が変化する
キャラクタＢが表示され
アクティブ保留表示を叩いたとき
には
キャラクタＡが表示され
アクティブ保留表示を叩いたとき
に比べて
変化する割合が高くなるように
設定されている
　上記記載事項を総合すれば、引用文献２には以下の発明（以下「引用発明２」という。）が記載されているものと認められる（ｇ〜ｈについては本願補正発明のＧ〜Ｈに対応させて付与した。）。
「ｇ　キャラクタが表示されて予告対象の保留表示をキャラクタが叩く演出の結果として保留表示の表示態様を変化させる演出と、キャラクタが表示されてアクティブ保留表示をキャラクタが叩く演出の結果としてアクティブ保留表示の表示態様を変化させる演出とを行うことが可能であり、
ｈ　キャラクタＢが表示されてアクティブ保留表示を叩いたときには、キャラクタＡが表示されてアクティブ保留表示を叩いたときに比べて、変化する割合が高くなるように設定されている
　パチンコ遊技機１。」
（３）対比・判断 
ア　対比
　本願補正発明と引用発明１とを対比する。なお、見出し（ａ）〜（ｇ）は、本願補正発明のＡ〜Ｇに対応させている。
 
（ａ）引用発明１のａの「可変表示」及び「パチンコ遊技機１」は、本願補正発明のＡの「変動表示」及び「遊技機」に相当する。
　また、引用発明１のａの「特別図柄の可変表示結果として予め定められた大当り図柄が導出表示されたときには、可変表示結果が「大当り」となり、遊技者にとって有利な特定遊技状態としての大当り遊技状態に制御される」ことは、本願補正発明のＡの「遊技者にとって有利な有利状態に制御可能な」ことに相当する。
　したがって、引用発明１の「ａ　可変表示を行ない、特別図柄の可変表示結果として予め定められた大当り図柄が導出表示されたときには、可変表示結果が「大当り」となり、遊技者にとって有利な特定遊技状態としての大当り遊技状態に制御されるパチンコ遊技機１」は、本願補正発明の「Ａ　変動表示を行ない、遊技者にとって有利な有利状態に制御可能な遊技機」に相当する。
（ｂ）引用発明１のｂの「未だ開始されていない特図ゲームの特図表示結果決定用の乱数値ＭＲ１や大当り種別決定用の乱数値ＭＲ２、変動パターン決定用の乱数値ＭＲ３を示す数値データ」、「保留データ」及び「特図保留記憶部」は、本願補正発明のＢの「未だ開始されていない変動表示に関する情報」、「保留記憶」及び「保留記憶手段」に相当する。
　したがって、引用発明１の「ｂ　未だ開始されていない特図ゲームの特図表示結果決定用の乱数値ＭＲ１や大当り種別決定用の乱数値ＭＲ２、変動パターン決定用の乱数値ＭＲ３を示す数値データなどを保留データとして記憶する特図保留記憶部」は、本願補正発明の「Ｂ　未だ開始されていない変動表示に関する情報を保留記憶として記憶する保留記憶手段」に相当する。
（ｃ）引用発明１のｃの「前記特図保留記憶部に保留データが記憶されると、この保留データに関連付けられた保留番号に対応する表示位置に」「表示される」「保留表示図柄」及び「画像表示装置５の画面上の始動入賞記憶表示エリア５Ｈ」は、本願補正発明のＣの「前記保留記憶手段に記憶された保留記憶に対応する保留表示」及び「保留表示手段」に相当する。
　したがって、引用発明１の「ｃ　前記特図保留記憶部に保留データが記憶されると、この保留データに関連付けられた保留番号に対応する表示位置に保留表示図柄を表示する、画像表示装置５の画面上の始動入賞記憶表示エリア５Ｈ」は、本願補正発明の「Ｃ　前記保留記憶手段に記憶された保留記憶に対応する保留表示を表示する保留表示手段」に相当する。
（ｄ）引用発明１の「ｄ　特図ゲームの実行が開始されるときに、保留表示図柄をシフトする、画像表示装置５の画面上の可変表示対象保留記憶エリア５Ｆ」は、保留表示図柄に対応する特図ゲームが行われているときに、保留表示図柄を表示するものであることは明らかであるから、本願補正発明の「Ｄ　保留記憶に対応する変動表示が行なわれているときに、変動対応表示を表示する変動対応表示手段」に相当する。
（ｅ）引用発明１の「ｅ　保留変化態様が、１変動目（１回目の可変表示）にキャラクタ（５ＣＨ）を表示して、２変動目（２回目の可変表示）にて当該キャラクタ（５ＣＨ）が保留表示図柄の態様を変更するといった態様のように、複数の可変表示に亘って行われる保留表示予告を実行する演出制御用ＣＰＵ１２０」は、保留表示図柄が表示されている複数の可変表示に跨る期間においてキャラクタ（５ＣＨ）を継続して表示可能であることは図３３に示されるように明らかであるから、本願補正発明の「Ｅ　一の保留記憶に対応する保留表示が表示されているときから当該一の保留記憶に対応する変動表示が行なわれているときに跨る期間を含む特定期間において、特定画像を継続して表示可能な特定画像表示手段」とは、「Ｅ’一の保留記憶に対応する保留表示が表示されているときに跨る期間を含む特定期間において、特定画像を継続して表示可能な特定画像表示手段」の点で共通する。
（ｆ）引用発明１のｅの「演出制御用ＣＰＵ１２０」が「保留変化態様が、１変動目（１回目の可変表示）にキャラクタ（５ＣＨ）を表示して、２変動目（２回目の可変表示）にて当該キャラクタ（５ＣＨ）が保留表示図柄の態様を変更するといった態様のように、複数の可変表示に亘って行われる保留表示予告を実行する」ことは、保留変化態様が、１変動目や２変動目等の複数の可変表示のいずれかのタイミングで保留表示図柄の態様を変更することが可能といえるから、本願補正発明の「Ｆ　前記特定画像表示手段は、前記特定期間のうちのいずれかのタイミングで前記特定画像の態様を変化させることが可能であ」ることに相当する。
（ｇ）引用発明１の「ｅ　保留変化態様が、１変動目（１回目の可変表示）にキャラクタ（５ＣＨ）を表示して、２変動目（２回目の可変表示）にて当該キャラクタ（５ＣＨ）が保留表示図柄の態様を変更するといった態様のように、複数の可変表示に亘って行われる保留表示予告を実行する」ことが、ｄの「画像表示装置５の画面上の可変表示対象保留記憶エリア５Ｆ」に「保留表示図柄をシフト」して「特図ゲームの実行が開始される」前に行われることが可能であることは図３３に示されるように明らかであるから、本願補正発明の「Ｇ　前記一の保留記憶に対応する変動表示が行われる前に、前記特定画像の態様を変化させるとともに前記一の保留記憶に対応する保留表示図柄の態様を変化させる第１パターンの演出と、前記一の保留記憶に対応する変動表示が行われているときに、前記特定画像の態様を変化させるとともに当該一の保留記憶に対応する変動対応表示の態様を変化させる第２パターンの演出とを選択的に行なうことが可能であ」ることとは、「Ｇ’前記一の保留記憶に対応する変動表示が行われる前に、前記特定画像の態様を変化させるとともに前記一の保留記憶に対応する保留表示の態様を変化させる第１パターンの演出を行なうことが可能であ」る点で共通する。
　そうすると、両者は、 
「Ａ　変動表示を行ない、遊技者にとって有利な有利状態に制御可能な遊技機であって、
Ｂ　未だ開始されていない変動表示に関する情報を保留記憶として記憶する保留記憶手段と、
Ｃ　前記保留記憶手段に記憶された保留記憶に対応する保留表示を表示する保留表示手段と、
Ｄ　保留記憶に対応する変動表示が行なわれているときに、変動対応表示を表示する変動対応表示手段と、
Ｅ’一の保留記憶に対応する保留表示が表示されているときから当該一の保留記憶に対応する変動表示が行なわれているときに跨る期間を含む特定期間の一部において、特定画像を継続して表示可能な特定画像表示手段とを備え、
Ｆ　前記特定画像表示手段は、前記特定期間のうちのいずれかのタイミングで前記特定画像の態様を変化させることが可能であり、
Ｇ’前記一の保留記憶に対応する変動表示が行われる前に、前記特定画像の態様を変化させるとともに前記一の保留記憶に対応する保留表示の態様を変化させる第１パターンの演出を行なうことが可能であり、
　　遊技機。」 
である点で一致し、以下の点で相違する。
（相違点１）
　Ｅ’の「特定画像表示手段」が「特定画像を継続して表示可能な」「特定期間」について、「一の保留記憶に対応する保留表示が表示されているときに跨る期間を含む」だけでなく、本願補正発明はＥの「当該一の保留記憶に対応する変動表示が行なわれているときに跨る期間を含む」ものであるのに対し、引用発明１はそのようなものか否か明らかでない点。
（相違点２）
　「Ｇ’前記一の保留記憶に対応する変動表示が行われる前に、前記特定画像の態様を変化させるとともに前記一の保留記憶に対応する保留表示の態様を変化させる第１パターンの演出を行なうことが可能であ」るだけでなく、本願補正発明はＧの「前記一の保留記憶に対応する変動表示が行われているときに、前記特定画像の態様を変化させるとともに当該一の保留記憶に対応する変動対応表示の態様を変化させる第２パターンの演出とを選択的に行なうことが可能であ」るのに対し、引用発明１はそのようなものか否か明らかでない点。
（相違点３）
　本願補正発明は「Ｈ　前記特定画像の種類が第１の種類のときと第２の種類のときとで、前記第２パターンの演出が行われる割合が異なる」のに対し、引用発明１はそのようなものか否か明らかでない点。
イ　判断
　以下、上記相違点について検討するが、事案に鑑み、まず、相違点２及び３から検討する。
（相違点２及び３について）
　上記（２）イに記載した引用発明２のｇの「保留表示」及び「アクティブ保留表示」は、本願補正発明のＧの「保留表示」及び「変動対応表示」に相当する。
　そして、引用発明２のｇの「予告対象の保留表示をキャラクタが叩く演出の結果として保留表示の表示態様を変化させる演出」は、本願補正発明のＧの「前記特定画像の態様を変化させるとともに前記一の保留記憶に対応する保留表示の態様を変化させる第１パターンの演出」に相当する。
　また、引用発明２の「保留表示の表示態様を変化させる演出」は、当該「保留表示」が「アクティブ保留表示」となる前に行われるから、当該「保留表示」に対応する変動表示が行われる前に行われるといえる。
　そのうえ、引用発明２のｇの「キャラクタが表示されて予告対象の保留表示をキャラクタが叩く演出の結果として保留表示の表示態様を変化させる演出と、キャラクタが表示されてアクティブ保留表示をキャラクタが叩く演出の結果としてアクティブ保留表示の表示態様を変化させる演出と」が選択的に行われることも明らかである。
　したがって、引用発明２の「ｇ　キャラクタが表示されて予告対象の保留表示をキャラクタが叩く演出の結果として保留表示の表示態様を変化させる演出と、キャラクタが表示されてアクティブ保留表示をキャラクタ叩く演出の結果としてアクティブ保留表示の表示態様を変化させる演出とを行うことが可能であ」ることは、本願補正発明の「Ｇ　前記一の保留記憶に対応する変動表示が行われる前に、前記特定画像の態様を変化させるとともに前記一の保留記憶に対応する保留表示の態様を変化させる第１パターンの演出と、前記一の保留記憶に対応する変動表示が行われているときに、前記特定画像の態様を変化させるとともに当該一の保留記憶に対応する変動対応表示の態様を変化させる第２パターンの演出とを選択的に行なうことが可能であ」ることに相当する。
　さらに、引用発明２のｈの「キャラクタＡ」及び「キャラクタＢ」は、本願補正発明のＨの「前記特定画像の種類が第１の種類のとき」及び「前記特定画像の種類が」「第２の種類のとき」に相当する。
　また、引用発明２のｈの「キャラクタ」が「アクティブ保留表示を叩いたときに」「変化する」ことは、本願補正発明のＨの「前記第２パターンの演出が行われる」ことに相当する。
　したがって、引用発明２の「ｈ　キャラクタＢが表示されアクティブ保留表示を叩いたときには、キャラクタＡが表示されアクティブ保留表示を叩いたときに比べて、変化する割合が高くなるように設定されている」ことは、本願補正発明の「Ｈ　前記特定画像の種類が第１の種類のときと第２の種類のときとで、前記第２パターンの演出が行われる割合が異なる」ことに相当する。
　よって、引用発明２は、相違点２及び３に係る本願補正発明の構成Ｇ及びＨを備えるといえる。
　そして、保留表示に加えてアクティブ保留表示をも表示態様を変化させる演出を行うとともに、キャラクタＡ、Ｂによりアクティブ保留表示が変化する割合が異なる引用発明２を、遊技の興趣向上のために、引用発明１の可変表示対象保留記憶エリア５Ｆの保留表示図柄に適用して、相違点２及び３に係る本願補正発明の構成に想到することに当業者にとって格別の困難性はない。
（相違点１について）
　上記（相違点２及び３について）で検討したように、引用発明１に引用発明２を適用して、可変表示対象保留記憶エリア５Ｆで保留表示図柄の態様を変更するのであれば、引用発明１が「ｅ　保留変化態様が、１変動目（１回目の可変表示）にキャラクタ（５ＣＨ）を表示して、２変動目（２回目の可変表示）にて当該キャラクタ（５ＣＨ）が保留表示図柄の態様を変更するといった態様のように、複数の可変表示に亘って行われる保留表示予告を実行する」ものであることに鑑みて、キャラクタ（５ＣＨ）を表示する期間は、キャラクタ（５ＣＨ）が表示される１変動目（１回目の可変表示）に始動入賞記憶表示エリア５Ｈに保留表示図柄が表示されているときから、保留記憶エリア５Ｆでキャラクタ（５ＣＨ）が保留表示図柄の態様を変更するときに跨がる期間を含む期間とするのが自然であり、そのようにして相違点１に係る本願補正発明の構成に想到することに当業者にとって格別の困難性はない。
　そして、本願補正発明の発明の奏する作用効果は、引用発明１及び引用発明２の奏する作用効果から予測できる範囲のものにすぎず、格別顕著なものということはできない。
　したがって、本願補正発明は、引用発明１及び引用発明２に基づいて、当業者が容易に発明をすることができたものであるから、特許法第２９条第２項の規定により、特許出願の際独立して特許を受けることができないものである。
（４）請求人の主張について
ア　請求人は、審判請求書において、以下のように主張する。
（ア）引用文献１には、「キャラクタ（５ＣＨ）」が「保留表示から変動対応表示へと状態が移行する間で継続的に態様変化の期待を遊技者に抱かせる指標」として機能することは示唆も教示もされいない。
（イ）引用文献１には、本願補正発明の「前記一の保留記憶に対応する変動表示が行われる前に、前記特定画像の態様を変化させるとともに前記一の保留記憶に対応する保留表示の態様を変化させる第１パターンの演出と、前記一の保留記憶に対応する変動表示が行われているときに、前記特定画像の態様を変化させるとともに当該一の保留記憶に対応する変動対応表示の態様を変化させる第２パターンの演出とを選択的に行なうことが可能」であるという構成Ｇは、記載されていない。
（ウ）上記ア及びイの結果、引用文献１に記載の発明では保留表示の段階にしか態様変化への期待が持てない一方、本願補正発明では、保留表示段階から変動表示段階までを通して態様変化への期待を持てるという作用効果上の相違が生じることになり、また、引用文献２には、同じキャラクタが保留またはアクティブ表示に作用する点の記載があるが、引用文献１と同様に、キャラクタが「保留表示から変動対応表示へと状態が移行する間で継続的に態様変化の期待を遊技者に抱かせる指標」として機能することは示唆も教示もされおらず、以上より、補正後の本願発明は、引用文献１，２からでは、たとえ当業者であったとしても容易に想到し得るものではない旨主張する。
イ　しかしながら、上記ア（イ）については、前記（３）の（相違点２及び３について）で検討したように、遊技の興趣向上のために、保留表示に加えてアクティブ保留表示をも表示態様を変化させる演出を行う引用発明２を、引用発明１の可変表示対象保留記憶エリア５Ｆの保留表示図柄に適用して、本願補正発明の構成Ｇに想到することに格別の困難性はない。
　また、上記ア（ア）については、前記（３）の（相違点１について）で検討したように、引用発明１に引用発明２を適用して、可変表示対象保留記憶エリア５Ｆで保留表示図柄の態様を変更するのであれば、引用発明１が「ｅ　保留変化態様が、１変動目（１回目の可変表示）にキャラクタ（５ＣＨ）を表示して、２変動目（２回目の可変表示）にて当該キャラクタ（５ＣＨ）が前記保留表示図柄の態様を変更するといった態様のように、複数の可変表示に亘って行われる保留表示予告を実行する」ものであることに鑑みて、キャラクタ（５ＣＨ）を表示する期間は、キャラクタ（５ＣＨ）が表示される１変動目（１回目の可変表示）に始動入賞記憶表示エリア５Ｈに保留表示図柄が表示されているときから、保留記憶エリア５Ｆでキャラクタ（５ＣＨ）が保留表示図柄の態様を変更するときに跨がる期間を含む期間とするのが自然であり、そのようにして相違点１に係る本願補正発明の構成に想到することに当業者にとって格別の困難性はない。
　さらに、上記ア（ウ）については、本願補正発明の、保留表示段階から変動表示段階までを通して態様変化への期待を持てるという作用効果は、引用発明１及び引用発明２の奏する作用効果から予測できる範囲のものにすぎず、格別顕著なものということはできない。
　よって、請求人の主張は採用できない。
（５）本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項１に係る発明は、平成２９年６月２０日にされた手続補正により補正された特許請求の範囲の請求項１に記載された事項により特定されるものであるところ、その請求項１に係る発明（以下「本願発明」という。）は、前記第２［理由］１の（本件補正前）に記載のとおりのものである。
２　原査定の拒絶理由
　原査定の拒絶の理由のうち、請求項１に係るものは、この出願の請求項１に係る発明は、その出願前に頒布された以下の引用文献に記載された発明に基づいて、その出願前にその発明の属する技術の分野における通常の知識を有する者が容易に発明をすることができたものであるから，特許法第２９条第２項の規定により特許を受けることができない、というものである。
　引用文献１：特開２０１４−７９５２３号公報
　引用文献２：特開２０１５−６１５８１号公報
　
３　引用文献 
　原査定の拒絶の理由で引用された引用文献１の記載事項は、前記第２［理由］２（２）に記載したとおりである。
４　対比・判断 
　本願発明は、前記第２の［理由］２で検討した本願補正発明の発明特定事項であるＧの「前記特定画像の態様を変化させるとともに」「保留表示の態様を変化させる」ことについて、「Ｇ　前記一の保留記憶に対応する変動表示が行われる前」に行われる「前記一の保留記憶に対応する」「第１パターンの演出」であるという限定を省くとともに、本願補正発明の発明特定事項であるＧの「前記特定画像の態様を変化させる」こと関して、Ｇの「前記一の保留記憶に対応する変動表示が行われているときに」行われる「当該一の保留記憶に対応する」「第２パターンの演出」であるという限定を省いて、それらを「選択的に行うことが可能である」との限定を省いたものである。
　なお、本願発明は、本願補正発明の発明特定事項である「前記特定画像の種類が第１の種類のときと第２の種類のときとで」「割合が異なる」対象について、Ｈの「前記第２パターンの演出が行われる」ことを「変動対応表示の態様を変化させる」こととしたものであるが、これは、上記Ｇに係る限定、すなわち、Ｇの「前記特定画像の態様を変化させる」こと関して、Ｇの「当該一の保留記憶に対応する」「第２パターンの演出」であるという限定を省いたものとの整合を採るものに過ぎず、実質的に技術的範囲を変更するものではない。
　そうすると、本願発明の発明特定事項を全て含み、さらに他の事項を付加したものに相当する本願補正発明が、前記第２［理由］２（３）に記載したとおり、引用発明１及び引用発明２に基づいて当業者が容易に発明をすることができたものであるから、本願発明も、引用発明１及び引用発明２に基づいて、当業者が容易に発明をすることができたものである。
第４　むすび
　以上のとおり、本願発明は、特許法第２９条第２項の規定により特許を受けることができないから、本願は拒絶されるべきものである。
　よって、結論のとおり審決する。